(57)【要約】【課題】  より一層小型化を図った場合でも、動画を好適に撮影することを可能とする。【解決手段】  携帯電話機１は、カメラ部８０と、カメラ部８０のフォーカスを自動調整するＡＦ制御部１３と、カメラ部８０から出力される動画情報を記憶部２０に格納する撮影制御部１１と、ＡＦ制御部１３にフォーカス命令信号を送信するフォーカスボタン検出部１５と、撮影制御部１１に撮影命令信号を送信する撮影ボタン検出部１４とを備え、ＡＦ制御部１３は、フォーカス命令信号を受信すると、カメラ部８０のフォーカスを自動調整し、自動調整が完了した旨のフォーカス処理完了信号を撮影制御部１１に送信するものであり、撮影制御部１１は、撮影命令信号を受信すると、フォーカス処理完了信号を受信したか否かを判断し、フォーカス処理完了信号を受信した場合のみ、動画情報を記憶部２０に格納する。【選択図】  図１
2005123767.tif 000002
【特許請求の範囲】
【請求項１】
動画情報を出力する撮像手段と、
上記動画情報に基づいて上記撮像手段のフォーカスを自動調整するフォーカス制御手段と、
上記撮像手段から出力される動画情報を記憶装置に格納する撮影制御手段と、
ユーザによって操作される撮影命令操作入力手段と、
ユーザによって操作されるフォーカス命令操作入力手段と、
上記フォーカス命令操作入力手段が操作されたことを検出して、上記フォーカス制御手段にフォーカス命令信号を送信するフォーカス操作検出手段と、
上記撮影命令操作入力手段が操作されたことを検出して、上記撮影制御手段に撮影命令信号を送信する撮影操作検出手段とを備え、
上記フォーカス制御手段は、上記フォーカス命令信号を受信すると、上記撮像手段のフォーカスを自動調整し、自動調整の完了後にフォーカス処理完了信号を上記撮影制御手段に送信するものであり、
上記撮影制御手段は、上記撮影命令信号を受信すると、上記フォーカス処理完了信号を受信したか否かを判断し、当該フォーカス処理完了信号を受信した場合に、上記動画情報を記憶装置に格納するものであることを特徴とする携帯型電子機器。
【請求項２】
上記撮影制御手段は、上記フォーカス処理完了信号を受信していない状態で、上記撮影命令信号を受信したとき、上記撮像手段のフォーカスを自動調整するように指示する第２のフォーカス命令信号を上記フォーカス制御手段に対して送信し、その後、上記フォーカス処理完了信号を受信すると、上記動画情報を記憶装置に格納するものであることを特徴とする請求項１に記載の携帯型電子機器。
【請求項３】
ユーザによって操作されるフォーカス操作手段と、
当該フォーカス操作手段が操作されたことを検出するとともに、当該フォーカス操作手段の操作状態に応じて、撮像手段のフォーカスを変更するフォーカス調整手段とを備えており、
上記フォーカス調整手段は、撮像手段のフォーカスを変更するとき、上記撮影制御手段に第２のフォーカス処理完了信号を送信するものであり、
上記撮影制御手段は、上記第２のフォーカス処理完了信号を受信すると、上記動画情報を記憶装置に格納するものであることを特徴とする請求項１に記載の携帯型電子機器。
【請求項４】
ユーザによって操作される２段階の押下操作が可能な２段階操作入力手段と、
上記２段階操作入力手段の押下状態を検出して、当該押下状態が一方であるときには上記フォーカス命令信号を送信し、他方であるときには上記撮影命令信号を送信する２段階操作検出手段と、
上記フォーカス命令信号を受信すると当該フォーカス命令信号を上記フォーカス制御手段に送信し、上記撮影命令信号を受信すると当該撮影命令信号を撮影制御手段に送信する分配手段とを備えていることを特徴とする請求項１記載の携帯型電子機器。
【請求項５】
上記撮影制御手段は、記憶装置に動画情報の格納を開始すると、フォーカス制御手段に撮影開始信号を送信するものであり、
上記フォーカス制御手段は、撮影開始信号を受信してから、上記撮影制御手段から送信されてくる記憶装置に動画情報の格納を終了した旨の撮影停止信号を受信するまでの間に、上記フォーカス命令信号を連続して所定時間以上受信した場合、撮像手段のフォーカスの自動調整を行うものであることを特徴とする請求項１記載の携帯型電子機器。
【請求項６】
上記フォーカス制御手段は、上記動画情報に基づいて、露出レベルを検出するものであるとともに、
上記検出した露出レベルが所定の基準値より大きい場合には、撮像手段のフォーカスの自動調整を行い、自動調整が完了した時点で上記フォーカス処理完了信号を送信する一方、上記検出した露出レベルが所定の基準値以下である場合には、撮像手段のフォーカスの自動調整を行わずに、上記フォーカス処理完了信号を送信するものであることを特徴とする請求項１記載の携帯型電子機器。
【請求項７】
請求項１〜６のいずれか１項に記載の携帯型電子機器を動作させる携帯型電子機器の制御プログラムであって、コンピュータを上記の各手段として機能させるための携帯型電子機器の制御プログラム。
【請求項８】
請求項７に記載の携帯型電子機器の制御プログラムを記録したコンピュータ読み取り可能な記録媒体。
【請求項９】
動画情報を取得する撮像手段を備える携帯型電子機器の制御方法であって、
ユーザによってフォーカスの自動調整が指示されると、上記撮像手段のフォーカスを当該撮像手段から出力される動画情報に基づいて自動調整するフォーカス制御工程と、
ユーザによって動画情報の記憶装置への格納が指示されると、上記フォーカス制御工程が完了しているか否かを判断し、完了している場合、上記動画情報を記憶装置に格納する撮影制御工程とを含むものであることを特徴とする携帯型電子機器の制御方法。
【発明の詳細な説明】
【技術分野】
【０００１】
本発明は、携帯型の電子機器に関するものであり、より詳細には動画撮影機能を有する携帯型電子機器に関するものである。
【背景技術】
【０００２】
最近の携帯電話機には撮像装置（デジタルスチルカメラ）としての機能を有するものが少なくなく、カメラ付き携帯電話機と呼ばれている。そして、この種の携帯電話機や、デジタルスチルカメラ等の携帯型電子機器の中には、上記撮像装置を用いて動画を撮影することができるものもある。
【０００３】
上記携帯型電子機器の中でもデジタルスチルカメラは、主として撮像用途に用いられているため、撮影を好適に行うために、大型のレンズやＣＣＤ等を備えているものが多い。このようなデジタルスチルカメラでは、焦点深度が深いために、フォーカスの自動調整を行わない場合であっても、良好に動画を撮影することができる。
【特許文献１】特開２００３−１１０９０３公報（公開日：平成２００３年４月１１日）
【発明の開示】
【発明が解決しようとする課題】
【０００４】
しかしながら、近年、デジタルスチルカメラやカメラ付き携帯電話機等の携帯型電子機器には、様々な機能が付されるようになってきている（例えば、特許文献１参照）。そのため、新たな機能を実現するために様々な構成が上記携帯型電子機器に追加されている。ところが、上記携帯型電子機器では、携帯性を損なわせないために、筐体の大きさに制約がある。つまり、新たな構成が付与された場合でも、同じ大きさ、または、より小型化された携帯型電子機器が求められている。
【０００５】
このために、撮像装置にもより一層の小型化が要求されている。上記撮像装置の小型化を図った場合には、ＣＣＤおよび/またはレンズを小型化する必要がある。そして、ＣＣＤおよび/またはレンズを小型化した場合、撮像装置の焦点深度は浅くなってしまう。その結果、例えば、動画を撮影する場合には、ピントがボケた画像になってしまうという問題点がある。
【０００６】
本発明は、上記の問題点に鑑みてなされたものであり、その目的は、より一層小型化を図った場合でも、動画を好適に撮影することができる携帯型電子機器を提供することである。
【課題を解決するための手段】
【０００７】
本発明にかかる携帯型電子機器は、上記課題を解決するために、動画情報を出力する撮像手段と、上記動画情報に基づいて上記撮像手段のフォーカスを自動調整するフォーカス制御手段と、撮像手段から出力される動画情報を記憶装置に格納する撮影制御手段と、ユーザによって操作される撮影命令操作入力手段と、ユーザによって操作されるフォーカス命令操作入力手段と、上記フォーカス命令操作入力手段が操作されたことを検出して、上記フォーカス制御手段にフォーカス命令信号を送信するフォーカス操作検出手段と、上記撮影命令操作入力手段が操作されたことを検出して、上記撮影制御手段に撮影命令信号を送信する撮影操作検出手段とを備え、上記フォーカス制御手段は、上記フォーカス命令信号を受信すると、上記撮像手段のフォーカスを自動調整し、自動調整の完了後にフォーカス処理完了信号を上記撮影制御手段に送信するものであり、上記撮影制御手段は、上記撮影命令信号を受信すると、上記フォーカス処理完了信号を受信したか否かを判断し、フォーカス処理完了信号を受信した場合に、上記動画情報を記憶装置に格納するものであることを特徴としている。
【０００８】
また、本発明にかかる携帯型電子機器は、上記撮影制御手段は、上記フォーカス処理完了信号を受信していない状態で、上記撮影命令信号を受信したとき、上記撮像手段のフォーカスを自動調整するように指示する第２のフォーカス命令信号をフォーカス制御手段に対して送信し、その後、上記フォーカス処理完了信号を受信すると、上記動画情報を記憶装置に格納する構成であることがより好ましい。
【０００９】
また、本発明にかかる携帯型電子機器は、ユーザによって操作されるフォーカス操作手段と、当該フォーカス操作手段が操作されたことを検出するとともに、当該フォーカス操作手段の操作状態に応じて、撮像手段のフォーカスを変更するフォーカス調整手段とを備えており、上記フォーカス調整手段は、撮像手段のフォーカスを変更するとき、上記撮影制御手段に第２のフォーカス処理完了信号を送信するものであり、上記撮影制御手段は、上記第２のフォーカス処理完了信号を受信すると、上記動画情報を記憶装置に格納する構成がより好ましい。
【００１０】
また、本発明にかかる携帯型電子機器は、ユーザによって操作される２段階の押下操作が可能な２段階操作入力手段と、上記２段階操作入力手段の押下状態を検出して、当該押下状態が一方であるときにはフォーカス命令信号を送信し、他方であるときには撮影命令信号を送信する２段階操作検出手段と、上記フォーカス命令信号を受信すると当該フォーカス命令信号を上記フォーカス制御手段に送信し、上記撮影命令信号を受信すると当該撮影命令信号を撮影制御手段に送信する分配手段とを備えている構成がより好ましい。
【００１１】
また、本発明にかかる携帯型電子機器は、上記撮影制御手段は、記憶装置に動画情報の格納を開始すると、フォーカス制御手段に撮影開始信号を送信するものであり、上記フォーカス制御手段は、撮影開始信号を受信してから、上記撮影制御手段から送信されてくる記憶装置に動画情報の格納を終了した旨の撮影停止信号を受信するまでの間に、上記フォーカス命令信号を連続して所定時間以上受信した場合、撮像手段のフォーカスの自動調整を行うものである構成がより好ましい。
【００１２】
また、本発明にかかる携帯型電子機器は、上記フォーカス制御手段は、上記動画情報に基づいて、露出レベルを検出するものであるとともに、上記検出した露出レベルが所定の基準値より大きい場合には、撮像手段のフォーカスの自動調整を行い、自動調整が完了した時点で上記フォーカス処理完了信号を送信する一方、上記検出した露出レベルが所定の基準値以下である場合には、撮像手段のフォーカスの自動調整を行わずに、上記フォーカス処理完了信号を送信するものである構成がより好ましい。
【００１３】
本発明にかかる携帯型電子機器の制御プログラムは、上記の課題を解決するために、上記携帯型電子機器を動作させる携帯型電子機器の制御プログラムであって、コンピュータを上記の各手段として機能させることを特徴としている。
【００１４】
本発明にかかる記録媒体は、上記携帯型電子機器の制御プログラムを記録したコンピュータ読み取り可能な媒体である。
【００１５】
本発明にかかる携帯型電子機器の制御方法は、上記の課題を解決するために、動画情報を取得する撮像手段を備える携帯型電子機器の制御方法であって、ユーザによってフォーカスの自動調整が指示されると、上記撮像手段のフォーカスを当該撮像手段から出力される動画情報に基づいて自動調整するフォーカス制御工程と、ユーザによって動画情報の記憶装置への格納が指示されると、上記フォーカス制御工程が完了しているか否かを判断し、完了している場合、上記動画情報を記憶装置に格納する撮影制御工程とを含むものであることを特徴としている。
【発明の効果】
【００１６】
以上のように、本発明にかかる携帯型電子機器は、撮像手段と、フォーカス制御手段と、撮影制御手段と、撮影命令操作入力手段と、フォーカス命令操作入力手段と、フォーカス操作検出手段と、撮影操作検出手段とを備え、上記フォーカス制御手段は、上記フォーカス命令信号を受信すると、撮像手段のフォーカスを自動調整し、当該自動調整が完了した旨のフォーカス処理完了信号を撮影制御手段に送信するものであり、上記撮影制御手段は、上記撮影命令信号を受信すると、上記フォーカス処理完了信号を受信したか否かを判断し、フォーカス処理完了信号を受信した場合に、上記動画情報を記憶装置に格納する構成である。
【００１７】
従って、これら各手段の有機的な結合により、動画撮影を開始する前に、フォーカスの自動調整を行い、当該フォーカスの自動調整が完了した後で、動画撮影を行うことができる。これにより、例えば、撮像装置が小型化され、フォーカスの自動調整を行う必要があるカメラ付きの携帯型電子機器であっても、確実にピントが合った状態で動画の撮影を行うことができる。また、動画の撮影を開始する前にフォーカスを調整した後で撮影を開始するので、例えば、動画の撮影中、常にフォーカスを行うようなデジタルビデオ等と比べて動画撮影時の消費電力を抑制することができる。
【００１８】
また、本発明にかかる携帯型電子機器は、上記撮影制御手段は、上記フォーカス処理完了信号を受信していない状態で、上記撮影命令信号を受信したとき、上記撮像手段のフォーカスを自動調整するように指示する第２のフォーカス命令信号をフォーカス制御手段に対して送信し、その後、上記フォーカス処理完了信号を受信すると、上記動画情報を記憶装置に格納する構成がより好ましい。上記の構成によれば、確実にフォーカスの自動調整が完了した後で動画の撮影を行うようになっているので、ピントの合っていない状態での動画撮影を防止することができる。
【００１９】
また、本発明にかかる携帯型電子機器は、フォーカス操作手段と、フォーカス調整手段とを備えており、上記フォーカス調整手段は、撮像手段のフォーカスを変更するとき、上記撮影制御手段に第２のフォーカス処理完了信号を送信するものであり、上記撮影制御手段は、上記第２のフォーカス処理完了信号を受信すると、上記動画情報を記憶装置に格納する構成がより好ましい。
【００２０】
上記の構成によれば、ユーザ自身が手動でフォーカスを調整する（マニュアルフォーカスを行う）ことができるようになっている。そして、ユーザ自身が手動でフォーカスを調整する場合には、フォーカス調整手段は、撮影制御手段に対してフォーカス処理完了信号を送信するようになっている。つまり、ユーザ自身が調整した場合であっても、撮影制御手段にフォーカス完了信号を送信するようになっているので、ユーザが所望のフォーカス状態で動画撮影を行うことができる。
【００２１】
また、本発明にかかる携帯型電子機器は、２段階操作入力手段と、２段階操作検出手段と、分配手段とを備えている構成がより好ましい。上記の構成によれば、２段階の押下操作が可能な２段階操作入力手段が設けられており、この２段階操作入力手段の操作に基づいて、フォーカス命令信号または撮影命令信号をフォーカス制御手段または撮影制御手段に振り分けるようになっている。そして、これらこれら各手段の有機的な結合により、ユーザは、この２段階操作入力手段のみでフォーカスの自動調整と動画撮影との両方を行うことができる。従って、携帯型電子機器の操作性を、より一層向上させることができる。
【００２２】
また、本発明にかかる携帯型電子機器は、上記撮影制御手段は、記憶装置に動画情報の格納を開始すると、フォーカス制御手段に撮影開始信号を送信するものであり、上記フォーカス制御手段は、撮影開始信号を受信してから、上記撮影制御手段から送信されてくる記憶装置に動画情報の格納を終了した旨の撮影停止信号を受信するまでの間に、上記フォーカス命令信号を連続して所定時間以上受信した場合、撮像手段のフォーカスの自動調整を行う構成がより好ましい。上記の構成によれば、動画の撮影中にユーザの誤操作によってフォーカス命令が出された場合であっても、フォーカスの自動調整を行わないようになっている。これにより、動画の撮影中にユーザが所望しないフォーカスの自動調整を防止することができる。
【００２３】
また、本発明にかかる携帯型電子機器は、上記フォーカス制御手段は、上記動画情報に基づいて、露出レベルを検出するものであるとともに、上記検出した露出レベルが所定の基準値より大きい場合には、撮像手段のフォーカスの自動調整を行い、自動調整が完了した時点で上記フォーカス処理完了信号を送信する一方、上記検出した露出レベルが所定の基準値以下である場合には、撮像手段のフォーカスの自動調整を行わずに、上記フォーカス処理完了信号を送信する構成がより好ましい。
【００２４】
上記の構成によれば、フォーカス制御手段は、当該フォーカス制御手段によって検出された露出レベルが所定の基準値以下である場合には、フォーカスの自動調整を行わないようになっている。つまり、例えば、暗闇等を撮影する場合には、フォーカスの自動調整を行った場合でも、適切な焦点距離に設定することができない場合が多い。従って、フォーカスの自動調整を行う前に予め露出レベルを検出しておき、露出レベルが一定の値以下である場合には、フォーカスの自動調整を行わないことにより、無駄な処理を行わないようにすることができる。これにより、電力消費の抑制と動画撮影を行うまでの時間を短縮することができる。
【００２５】
また、本発明の携帯型電子機器の制御プログラムは、コンピュータを上記の各手段として機能させるコンピュータ・プログラムである。
【００２６】
上記の構成により、コンピュータで上記携帯型電子機器の各手段を実現することによって、上記携帯型電子機器を実現することができる。
【００２７】
また、本発明の携帯型電子機器の制御プログラムを記録したコンピュータ読み取り可能な記録媒体は、上記の各手段をコンピュータに実現させて、上記携帯型電子機器を動作させる携帯型電子機器の制御プログラムを記録したコンピュータ読み取り可能な記録媒体である。
【００２８】
上記の構成により、上記記録媒体から読み出された携帯型電子機器の制御プログラムによって、上記携帯型電子機器をコンピュータ上に実現することができる。
【００２９】
本発明にかかる携帯型電子機器の制御方法は、ユーザによってフォーカスの自動調整が指示されると、上記撮像手段のフォーカスを当該撮像手段から出力される動画情報に基づいて自動調整するフォーカス制御工程と、ユーザによって動画情報の記憶装置への格納が指示されると、上記フォーカス制御工程が完了しているか否かを判断し、完了している場合、上記動画情報を記憶装置に格納する撮影制御工程とを含む構成である。これにより、より一層小型化を図った場合でも、動画を好適に撮影することを可能とする。
【発明を実施するための最良の形態】
【００３０】
本発明の実施の一形態について図１ないし図１０に基づいて説明すれば、以下の通りである。
【００３１】
本実施の形態にかかる携帯型電子機器は、動画撮影において、撮像装置（撮像手段）のフォーカスの自動調整が完了した旨のフォーカス処理完了信号した後で、動画の撮影を行うようになっている携帯型電子機器である。以下の説明では、携帯型電子機器として、クラムシェル型の撮像装置（カメラ部）を備えた携帯電話機、所謂、カメラ付携帯電話機（以下の説明では、単に携帯電話機として説明する）について説明する。なお、本発明における携帯型電子機器としては、上記カメラ付携帯電話機に限定されるものではなく、例えば、携帯情報端末機等も含まれるものとする。
【００３２】
図２は、本実施の形態にかかるクラムシェル型の携帯電話機１の開いた状態における概略の構成を示す正面図である。図３は、上記携帯電話機１の閉じた状態における蓋体３側から見た概略の構成を示す正面図である。図４は、上記携帯電話機１の閉じた状態における本体２部側から見た概略の構成を示す正面図である。図５は、上記携帯電話機１を閉じた状態における概略の構成を示す側面図である。
【００３３】
図２に示すように、携帯電話機１（携帯型電子機器）は、本体２と、蓋体３とからなり、本体２と蓋体３とはヒンジを介して連結されている。そして、上記本体２と蓋体３とはヒンジを軸として回動が可能となっている。
【００３４】
そして、上記蓋体３には、図２および図３に示すように、メイン画面である第１表示部４とサブ画面である第２表示部５とスピーカ４０と図示しないアンテナとが備えられている。
【００３５】
第１表示部４は、携帯電話機１が折り畳まれた場合に、内側に位置するように配置されている。第２表示部５は、携帯電話機１が折り畳まれた場合に、外側、つまり、閉じた状態における携帯電話機１の表面側に設けられている。そして、第１表示部４および第２表示部５は、例えば、液晶ディスプレイやＥＬディスプレイ等の装置と、当該装置と携帯電話機１の内部システムとの間のインターフェイスである各種ドライバとから構成されている。この第１表示部４および第２表示部５には、携帯電話機１を操作する際、各種の操作を行うためのガイダンス情報や受信情報、画像やテキスト情報、アイコン等が表示される。
【００３６】
また、スピーカ４０は、第１表示部４の上部に備えられており、通話時に使用される。また、アンテナは、無線通信を行うために使用される。
【００３７】
次に、本体２について説明する。本体２には、図２、図４および図５に示すように、マイクロフォン３０とメイン操作ボタン群６７とカメラ部８０（撮像手段）とライト部７０とサイドボタン６２とを備えている。なお、カメラ部８０の詳細な構成については後述する。
【００３８】
上記マイクロフォン３０とメイン操作ボタン群６７とは、携帯電話機１を折り畳んだ場合に、内側となる面に設けられており、カメラ部８０とライト部７０とは、閉じた状態における携帯電話機１の表面側に設けられている。また、サイドボタン６２は、携帯電話機１の側面に設けられている。上記マイクロフォン３０は、通話時に音声を入力するために使用される。
【００３９】
上記メイン操作ボタン群６７は、携帯電話機１における各種設定や機能切替を行うための機能ボタン群６６と、数字および／または文字等を入力するための入力ボタン群６５とから構成されている。具体的には、上記機能ボタン群６６には、携帯電話の電源のＯＮ／ＯＦＦを切替る電源ボタン、後述する撮影モードを起動させるカメラボタン、メールモードを起動させるメールボタン、選択対象を上下左右方向に移動させるための十字ボタン、上記十字ボタンの中央に配置されており種々の選択を決定する決定ボタン等が備えられている。また、入力ボタン群６５は、テンキーである。
【００４０】
また、サイドボタン６２は、撮影モード（動画撮影および静止画撮影）におけるシャッターボタン（撮影ボタン）である。つまり、サイドボタン６２は、携帯電話機１を撮影モードで使用する際にはシャッターとして機能する。
【００４１】
なお、本実施の形態にかかる携帯電話機１では、上記サイドボタン６２は、２段階の押下操作が可能な２段階ボタンスイッチ（２段階操作入力手段）（以下、単に２段ボタン６２と称する）で構成されている。そして、上記携帯電話機１を撮影モードで使用する場合には２段ボタン６２に対して「半押し」と呼ばれるストロークの浅い１段目の押下操作を行うとフォーカスの自動調整（以下、合焦処理と称する）が行われる。その後、この半押し状態から「全押し」と呼ばれるストロークの深い２段目の押下操作を行うと撮影処理が行われる。
【００４２】
そして、本実施の形態にかかる携帯電話機１には、上記２段ボタン６２とは別に、撮影ボタン（撮影命令操作入力手段）６１およびフォーカスボタン（フォーカス命令入力操作手段）６３が備えられている。上記撮影ボタン６１は、撮影モードにおいて、カメラ部８０から出力されてくる画像信号を、撮影するためのシャッターとして機能する。また、フォーカスボタン６３は、撮影モードにおいて、撮像素子８１のフォーカスを自動調整するためのトリガとして機能する。すなわち、撮影モードにおいて、ユーザにより撮影ボタン６１が押圧されると、撮影が行われ、ユーザによってフォーカスボタン６３が押圧されると、フォーカスの自動調整が行われるようになっている。
【００４３】
そして、本実施の形態にかかる携帯電話機１では、撮影モードにおいては、上記決定ボタンが撮影ボタン６１として機能し、テンキー（入力ボタン群６５）の「0」ボタンがフォーカスボタン６３として機能する。そして、ユーザは、このフォーカスボタン６３と撮影ボタン６１との２つのボタンを操作することにより、合焦処理と撮影とを行うことができる。なお、ここでは、フォーカスボタン６３および撮影ボタン６１として１段階の押下操作のみが可能な操作キーが使用されている。
【００４４】
つまり、上記携帯電話機１では、２段ボタン６２のみを操作する場合でも、また、撮影ボタン６１とフォーカスボタン６３との２つのボタンを操作する場合でも合焦処理と撮影とを行うことができる。
【００４５】
また、上記携帯電話機１は、ユーザが任意でフォーカスの調整を行うためのフォーカス調整ボタン６４を備えている。具体的には、上記十字ボタンがフォーカス調整ボタン６４として機能する。そして、ユーザは、このフォーカス調整ボタン６４を操作することにより、カメラ部８０の焦点距離を、ユーザの所望の値に設定することができる。
【００４６】
ここで、上記携帯電話機１の詳細な構成について、図６のブロック部を参照して説明する。
【００４７】
図６に示すように、本実施の形態にかかる携帯電話機１は、カメラ部８０、制御部１０、表示部５０、スピーカ４０、マイクロフォン３０、キー入力部６０、記憶部２０、ライト部７０および無線部９０により構成されている。
【００４８】
カメラ部８０は、被写体を撮影して画像信号（動画情報および静止画情報を含む）を出力する撮像素子を備えた撮像手段（撮影装置）である。カメラ部８０の詳細な構成については後述する。
【００４９】
表示部５０は、第１表示部４および第２表示部５から構成されており、文字や画像を表示するための表示手段である。そして、上記表示部５０は、通話モードの場合には、電話番号などの通話情報が表示される一方、撮影モードの場合には、カメラ部８０からの画像信号がスルー画像なってモニター表示され、デジタルスチルカメラのファインダーとして使用される。
【００５０】
スピーカ４０およびマイクロフォン３０は、通話モードで使用される。キー入力部６０は、多数の操作キー（メイン操作ボタン群６７）およびサイドボタン６２を含んで構成されている。具体的には、上記携帯電話機１のキー入力部６０には、撮影ボタン（撮影命令操作入力手段）６１、２段ボタン（２段階操作入力手段）６２、フォーカスボタン（フォーカス命令操作入力手段）６３、および、フォーカス調整ボタン（フォーカス操作手段）６４が備えられている。なお、上記撮影ボタン６１、２段ボタン６２、フォーカスボタン６３、および、フォーカス調整ボタン６４は、動画を撮影する撮影モードにおいても。また、静止画を撮影する静止画モードにおいても使用される。なお、以下の説明では、各ボタンが、動画を撮影する撮影モードにおいて、押圧されたときの処理を示している。
【００５１】
また、上記マイクロフォン３０は、動画撮影の際に、外部の音声等の音情報を取り込む。
【００５２】
記憶部（記憶装置）２０は、カメラ部８０から出力された動画情報を格納するためのものである。また、記憶部２０には、上記画像情報の他にも種々の情報が記憶される。また、上記記憶部２０には、例えば、制御部１０が動作する際に必要なプログラム、通信制御データ等の固定データを記憶する読出し専用の半導体メモリであるＲＯＭや、バーコード認識や通信に関するデータ、演算に使用するデータ及び演算結果等を一時的に記憶するいわゆるワーキングメモリとしてのＲＡＭ等が含まれる。
【００５３】
無線部９０は、アンテナを介して、図示しない無線基地局との間で無線通信を行って、携帯電話機１による通話及び電子メール等の送受信を実現している。そして、例えば、記憶部２０に記憶されている画像情報は電子メールに添付して無線送信することができる。
【００５４】
ライト部７０は、撮影モードにおいて、露光装置として機能する。
【００５５】
制御部１０は、ライト部７０、カメラ部８０、無線部９０、記憶部２０、キー入力部６０、表示部５０、スピーカ４０、および、マイクロフォン３０を制御している。なお、上記制御部１０の詳細な構成については後述する。
【００５６】
ここで、カメラ部８０の構成について説明する。
【００５７】
図７は、図６のカメラ部８０の一構成例を示したブロック図である。カメラ部８０は、レンズ８３、受光素子を備えたＣＣＤ回路（撮像素子）８１、ＣＣＤ駆動部８４、図示しない信号増幅部、Ａ／Ｄ変換部８５、およびレンズ駆動部（フォーカス調整手段）８２により構成されている。
【００５８】
被写体からの光はレンズ８３で集光され、画像信号を生成する撮像素子８１に入射される。より具体的には、レンズ８３で集光された光は、ＣＣＤ回路８１の受光素子が備えられている受光面に結像される。上記ＣＣＤ回路８１の受光面は多数の受光素子からなり、各受光素子には入射光量に応じた電荷が蓄積され、所定の露光時間内で蓄積された電荷を各受光素子から読み出すことにより画像信号（動画情報）が得られる。
【００５９】
ＣＣＤ駆動部８４は、ＣＣＤ回路８１に対しタイミングパルスを供給し、各受光素子に蓄積された電荷を消去するとともに、所定の露光時間が経過するまでに各受光素子に蓄積された電荷量を読み出すようにタイミング制御を行っている。
【００６０】
ＣＣＤ回路８１で生成された画像信号は、信号増幅部で増幅され、Ａ／Ｄ変換部８５においてデジタル信号に変換された後、後述する記憶部２０に格納される。そして、図示しない画像処理部によって様々な処理が行われる。
【００６１】
また、レンズ駆動部８２は、後述するＡＦ制御部１３からのレンズ８３駆動信号に基づいて、レンズ８３を光軸方向に移動させる。つまり、レンズ駆動部８２が、レンズ８３を移動させることにより、カメラ部８０の焦点距離が変動するようになっている。
【００６２】
ここで、本実施の形態にかかる携帯電話機１の制御部１０の詳細な構成について図１を参照して説明する。図１は、上記携帯電話機１の制御部１０における概略の構成を示す機能ブロック図である。
【００６３】
制御部１０は、図１に示すように、撮影ボタン検出部（撮影操作検出手段）１４と、フォーカスボタン検出部（フォーカス操作検出手段）１５と２段ボタン検出部（２段階操作検出手段）１６と信号切替部１７（分配手段）とＡＦ制御部（フォーカス制御手段）１３と撮影部１２を備えた撮影制御部（撮影制御手段）１１、フォーカス調整部（フォーカス調整手段）１８およびタイマ１９とを備えている。
【００６４】
撮影ボタン検出部１４は、本体２に設けられている撮影ボタン６１が押圧（押下）されたか否かを検出する。また、上記撮影ボタン検出部１４は、撮影ボタン６１が押圧された場合には、操作者によって撮影ボタン６１が押されたことを示す撮影命令信号を、後述する撮影制御部１１に送信する。つまり、撮影ボタン検出部１４によって、ユーザから撮影命令が出されたか否かを知ることができる。
【００６５】
フォーカスボタン検出部１５は、本体２に設けられているフォーカスボタン６３が押圧（押下）されたか否かを検出する。また、上記フォーカスボタン検出部１５は、フォーカスボタン６３が押圧された場合には、操作者によってフォーカスボタン６３が押されたことを示すフォーカス命令信号を、後述する撮影制御部１１に送信する。
【００６６】
２段ボタン検出部１６は、本体２の側面部に設けられた２段ボタン６２の押圧（押下）状態を検出する。そして、２段ボタン検出部１６は、２段ボタン６２の押圧状態に応じて、当該押圧状態に応じた信号を信号切替部１７に送信する。具体的には、２段ボタン検出部１６は、ユーザによって２段ボタン６２が途中まで押されたこと、すなわち、半押し状態を検出した場合には、半押し信号を送信し、ユーザによって２段ボタン６２が最後まで押されたこと、すなわち、全押し状態を検出した場合には、全押し信号を信号切替部１７に送信する。つまり、２段ボタン検出部１６は、当該２段ボタン６２が半押しされたか、全押しされたかを検出することができる。なお、半押し信号とは、フォーカス命令信号に相当する。また、全押し信号とは、撮影命令信号に相当する。
【００６７】
信号切替部１７は、２段ボタン検出部１６から送信されてくる２つの信号を振り分ける。具体的には、２段ボタン検出部１６から、上記半押し信号が送信されてきた場合には、信号切替部１７は、フォーカス命令信号である半押し信号を、ＡＦ制御部１３に送信する。また、２段ボタン検出部１６から上記全押し信号が送信されてきた場合には、信号切替部１７は、全押し信号である撮影命令信号を、撮影制御部１１に送信する。
【００６８】
つまり、本実施の形態では、上記撮影ボタン検出部１４、２段ボタン検出部１６、フォーカスボタン検出部１５によって、撮影制御部１１に撮影命令信号を、また、ＡＦ制御部１３にフォーカス命令信号を送信するようになっている。
【００６９】
撮影制御部１１は、送信されてくる撮影命令信号に基づいて、カメラ部８０から送信されてくる動画情報を撮影する撮影信号を撮影部１２およびＡＦ制御部１３に出す。
【００７０】
撮影部１２は、撮影制御部１１から撮影信号を受信すると、カメラ部８０の撮像素子８１から送信されてくる画像信号を記憶部２０に格納する（撮影する）。
【００７１】
また、撮影部１２は、動画（動画情報）を記憶部２０に格納する際には、マイクロフォン３０から出力される音声信号と上記画像信号とを対応させた動画情報を格納するようになっている。つまり、撮影部１２は、静止画を記憶部２０に格納する際には画像信号のみを格納し、動画情報を記憶部２０に格納する際には、画像信号と音声信号とを対応させて、動画情報を作成し、当該動画情報を格納するようになっている。
【００７２】
ＡＦ制御部１３は、カメラ部８０の撮像素子８１から送信されてくる画像信号（動画情報）に基づいて、カメラ部８０の合焦を行うための処理を行う。具体的には、上記ＡＦ制御部１３は、焦点距離を変動させたときの画像信号の変動から最適な焦点距離を決定する。また、撮影モードにおいて、ＡＦ制御部１３には、カメラ部８０の撮像素子８１から画像信号が常に送信されている。また、ＡＦ制御部１３は、合焦処理が終了すると、撮影制御部１１にフォーカス処理完了信号を送信する。
【００７３】
上記フォーカス調整部１８は、フォーカス調整ボタン６４が押圧（押下）されたことを検出する。そして、フォーカス調整ボタン６４がユーザによって押下された場合には、フォーカス調整部１８は、カメラ部８０のレンズ駆動部８２を動作させて、焦点距離を変化させる。より具体的には、フォーカス調整部１８は、ユーザによって押下されたフォーカス調整ボタン６４の押下状態に応じて、焦点距離を変化させる。これにより、ユーザは、上記フォーカス調整ボタン６４を押下することにより、所望の焦点距離を実現させることができる。また、上記フォーカス調整部１８は、フォーカス調整ボタン６４が押圧（押下）されたことを検出と、焦点距離を変動させるとともに、撮影制御部に対して、フォーカス処理完了信号を送信する。これにより、ユーザが所望した焦点距離にて、動画（静止画も含む）の撮影を行うことができる。
【００７４】
タイマは、動画撮影中に、ＡＦ制御部１３に送信されてきたフォーカス命令信号（半押し信号）の送信時間を計測する。
【００７５】
以下に、フォーカスの自動調整を行う（最適な焦点距離を決定する）合焦処理における制御部１０の動作について説明する。
【００７６】
ユーザによってフォーカスボタン６３が押圧されると、フォーカスボタン検出部１５は、ＡＦ制御部１３に、フォーカス命令信号を送信する。また、ユーザによって２段ボタン６２が半押しされると、２段ボタン検出部１６は、信号切替部１７にフォーカス命令信号（半押し信号）を送信する。信号切替え部は、２段ボタン検出部１６から半押し信号を受信すると、当該半押し信号をＡＦ制御部１３に送信する。
【００７７】
フォーカス命令信号（半押し信号）を受信すると、ＡＦ制御部１３は、カメラ部８０のレンズ駆動部８２を駆動させて、カメラ部８０の焦点距離を変動させる。そして、ＡＦ制御部１３は、上記カメラ部８０の焦点距離が変動したときの画像信号を解析して、最適な焦点距離を決定する。そして、ＡＦ制御部１３は、最適な焦点距離を決定した後、カメラ部８０のレンズ駆動部８２を駆動させて、カメラ部８０を最適な焦点距離に設定（フォーカスロック）する。そして、ＡＦ制御部１３は、フォーカスロックが完了すると、撮影制御部１１に、合焦処理が完了した旨のフォーカス処理完了信号を送信する。
【００７８】
撮影制御部１１は、当該フォーカス処理完了信号を受信して、フォーカスロックが行われているか否かを判断する。そして、フォーカスロックが行われている場合には、撮影制御部１１は、撮影部１２を動作させて撮影を行う。そして、撮影部１２は、撮影した画像情報を記憶部２０に送信する。また、フォーカスロックが出来なかった場合、すなわち、合焦処理は完了しているが、最適な焦点距離が決定されなかったためにフォーカスロックができていない場合には、ＡＦ制御部１３は、表示部５０を動作させて、フォーカスロックができていない旨をユーザに対して報知するとともに、撮影制御部１１にフォーカス処理完了信号を送信する。なお、上記合焦処理は完了しているが最適な焦点距離が決定されない場合としては、具体的には、例えば、暗闇を撮影しようとすると、最適な焦点距離が決定できない場合等がある。つまり、フォーカス処理信号には、合焦処理が完了した旨を示す情報とフォーカスロックが行われたか否かを示す情報が含まれている。
【００７９】
なお、上記制御部１０は、各ブロック（撮影部１２、撮影制御部１１、ＡＦ制御部１３、撮影ボタン検出部１４、２段ボタン検出部１６、信号切替部１７、フォーカスボタン検出部１５、フォーカス調整部１８、タイマ１９）が、ハードウェアロジックによって実現されてもよいし、次のようにＣＰＵを用いてソフトウェアによって実現されてもよい。
【００８０】
すなわち、携帯電話機１の制御部１０は、各ブロックの機能を実現する携帯電話機１の制御方法の命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、制御部１０は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、制御部１０に供給し、そのコンピュータ（またはＣＰＵやＭＰＵ）が記録媒体に記録されているプログラムコードを読み出し実行することによっても、実現可能である。この場合、記録媒体から読み出されたプログラムコード自体が上述した機能を実現することになり、そのプログラムコードを記録した記録媒体は本発明を構成することになる。
【００８１】
このように本明細書において、手段（部）とは必ずしも物理的手段を意味するものではなく、各手段の機能がソフトウェアによって実現される場合も包含する。さらに、１つの手段の機能が、２つ以上の物理的手段により実現されても、もしくは、２つ以上の手段の機能が、１つの物理的手段により実現されてもよい。
【００８２】
次に、動画を撮影する撮影処理について説明する。
【００８３】
ユーザによって撮影ボタン６１が押圧されると、撮影ボタン検出部１４は、撮影制御部１１に、撮影命令信号を送信する。また、ユーザによって２段ボタン６２が全押しされると、２段ボタン検出部１６は、信号切替部１７に全押し信号（撮影命令信号）を送信する。信号切替部１７は、２段ボタン検出部１６から全押し信号を受信すると、その全押し信号を撮影制御部１１に送信する。
【００８４】
撮影命令信号（全押し信号）を受信すると、撮影制御部１１は、ＡＦ制御部１３に合焦処理が終了しているか否かを問合せる。このとき、ＡＦ制御部１３からは、（Ａ）合焦処理は既に終了している、（Ｂ）合焦処理を行っている途中である、（Ｃ）合焦処理を未だ行っていない、のいずれかの情報を表す信号が撮影制御部１１に送信される。なお、（Ｃ）の合焦処理を未だ行っていない旨の情報を表す信号は、例えば、ユーザによって撮影モードが選択されてから一度も合焦処理を行っていない場合や、一旦、撮影が終了した時点から今回の問合せまでにフォーカス命令信号が送信されてきていない場合等に送信される。
【００８５】
上記問合せに対して、ＡＦ制御部１３から、（Ａ）合焦処理は既に終了している旨の信号、すなわち、フォーカス処理完了信号を受信した場合、撮影制御部１１は、撮影部１２を動作させて撮影を行う。具体的には、撮影部１２は、撮像素子から送信されてくる画像信号と、マイクロフォン３０から送信されてくる音声信号とを併せた動画情報を記憶部２０に格納する。
【００８６】
一方、上記問合せに対して、ＡＦ制御部１３から、（Ｂ）合焦処理を行っている途中である旨の情報を示す信号を受信した場合、撮影部１２は、ＡＦ制御部１３からフォーカス処理完了信号が送信されてくるまで待機する。そして、ＡＦ制御部１３からフォーカス処理完了信号が送信されてきた後で、撮影制御部１１は、撮影部１２を動作させて動画情報を記憶部２０に格納する。
【００８７】
また、上記問合せに対して、ＡＦ制御部１３から、（Ｃ）合焦処理を未だ行っていない旨の情報を示す信号を受信した場合、撮影制御部１１は、撮影部１２を動作させて動画の撮影を行う前に、ＡＦ制御部１３に対して、合焦処理命令信号（フォーカス命令信号）を送信する。これについて、詳細に説明する。
【００８８】
本実施の形態では、合焦処理を未だ行っていない状態において、ユーザによって撮影ボタン６１が押圧された場合、すなわち、合焦処理が行われていないまま、ユーザによって撮影ボタン６１が押圧された場合、合焦処理行った後で動画の撮影を行うようになっている。つまり、動画撮影モードにおいて、ユーザが合焦処理を行うことなく撮影ボタン６１を押圧した場合、すなわち、ＡＦ制御部１３からフォーカス処理完了信号が送信されてきていない状態で撮影信号を受信した場合には、撮影制御部１１は、ＡＦ制御部１３に第２のフォーカス命令信号を送信する。この第２のフォーカス命令信号は、フォーカスボタン検出部１５からＡＦ制御部１３に送信されるフォーカス命令信号と同じ信号である。そして、ＡＦ制御部からフォーカス処理完了信号を受信した時点で、動画の撮影を行うようになっている。
【００８９】
次に、ユーザによる撮影ボタン６１、フォーカスボタン６３、２段ボタン６２の押圧によって動画を撮影する処理の流れについて図８のフローチャートを参照して説明する。
【００９０】
まず、撮影ボタン検出部１４、２段ボタン検出部１６、フォーカスボタン検出部１５は、動画を撮影する撮影モードであるか否かを判断する（Ｓ１）。本実施の形態にかかる携帯型電子機器が例えば、携帯電話機１である場合、撮影ボタン６１やフォーカスボタン６３等のボタンは、他の機能を実行する際には、他の機能を割り当てられている。そのため、他のモードにおいては、撮影ボタン検出部１４、２段ボタン検出部１６、フォーカスボタン検出部１５は、撮影ボタン６１、２段ボタン６２、フォーカスボタン６３を押圧された場合でも、検知しないようになっている。
【００９１】
次に、ステップＳ１において、動画を撮影する撮影モードであると判断した場合には、フォーカスボタン検出部１５は、ユーザによってフォーカスボタン６３が押圧されたか否か、または、２段ボタン検出部１６は、ユーザによって２段ボタン６２が半押しされたか否かを検出する（Ｓ２）。
【００９２】
そして、ステップＳ２において、フォーカスボタン検出部１５は、フォーカスボタン６３が押圧されたことを検出すると、ＡＦ制御部１３に、フォーカス命令信号を送信する。一方、２段ボタン検出部１６は、２段ボタン６２が半押しされたことを検知すると、半押し信号（フォーカス命令信号）を、信号切替部１７に送信する。そして、信号切替部１７は、２段ボタン検出部１６から半押し信号を受信すると、当該半押し信号をＡＦ制御部１３に送信する。
【００９３】
ＡＦ制御部１３は、フォーカス命令信号（半押し信号）を受信すると、カメラ部８０のレンズ駆動部８２を動作させて合焦処理を行う（Ｓ３）。具体的には、ＡＦ制御部１３は、カメラ部８０のレンズ駆動部８２を動作させて、カメラ部８０の焦点距離を変動させたときの撮像素子８１から送信されてくる画像信号を解析して、最適な焦点距離を決定する。また、このステップＳ３において、合焦処理を行う際には、ＡＦ制御部１３は、撮影制御部１１に対して合焦処理開始報告信号を送信する。
【００９４】
一方、ＡＦ制御部１３が合焦処理を行っている間、撮影制御部１１は、フォーカスボタン検出部１５または信号切替部１７から、フォーカス命令信号（半押し信号）が送信され続けているか否かを判断する（Ｓ４）。換言すると、ＡＦ制御部１３は、フォーカスボタン６３の押圧または２段ボタン６２の半押しが解除（開放）されたか否かを判断する。
【００９５】
ステップＳ４にて、フォーカス命令信号（半押し信号）の送信が中止されたと判断すると、撮影制御部１１は、ＡＦ制御部１３に合焦処理を中止するように合焦処理中止命令信号を出す。そして、合焦処理中止命令信号を受信したＡＦ制御部１３は、この命令に基づいて合焦処理を中止する（Ｓ１０）。そして、処理はステップＳ２に戻る。つまり、フォーカス命令信号（半押し信号）がこのフォーカスボタン６３の押圧または２段ボタン６２の半押しが開放されると、ユーザからの合焦処理命令が解除（中止）されたと判断する。
【００９６】
一方、上記ステップＳ４にて、フォーカス命令信号（半押し信号）の送信が出され続けていると判断すると、ＡＦ制御部１３は、ステップＳ３の合焦処理を継続して行い、最適な焦点距離が決定できるか否かを判断する（Ｓ５）。つまり、ＡＦ制御部１３は、フォーカスロックが行えるか否かを判断する。これは、例えば、暗闇等の画像を撮影する場合には、合焦処理を行った場合でも、最適な焦点距離を決定することができないためである。
【００９７】
ステップＳ５にて、最適な焦点距離が決定されると、ＡＦ制御部１３は、決定された焦点距離に基づいて、レンズ駆動部８２を動作させることにより、カメラ部８０の焦点距離を合わせる（フォーカスロックする）。そして、ＡＦ制御部１３は、フォーカスロックが完了すると、撮影制御部１１に、フォーカス処理完了信号を送信する。
【００９８】
そして、撮影制御部１１では、ＡＦ制御部１３からのフォーカス処理完了信号が送信されてきたか否かを判断する（Ｓ６）。つまり、撮影制御部１１は、合焦処理が終了したか否かを判断する。
【００９９】
次に、ステップＳ６にて、フォーカス処理完了信号が送信されてきたと判断すると、ＡＦ制御部１３は、新たに、信号切替部１７またはフォーカスボタン検出部１５から、フォーカス命令信号（半押し信号）が送信されてきたか否かを判断する（Ｓ７）。上記ステップＳ６にて、既にフォーカスロックが完了しており、カメラ部８０の焦点距離は決定されている。しかしながら、ユーザの所望する焦点距離に設定されていない場合等には、ユーザは再度、焦点距離を設定するために、２段ボタン６２の半押しまたはフォーカスボタン６３の押圧を行う。従って、このステップＳ７では、ユーザから再度、焦点距離の設定を行う旨の命令が出されたか否かを判断する。
【０１００】
上記ステップＳ７において、新たに、フォーカス命令信号（半押し信号）から送信されてきていない場合、つまり、ＡＦ制御部１３からフォーカス処理完了信号が送信されてきた状態において、撮影制御部１１は、信号切替部１７または撮影ボタン検出部１４から撮影命令信号が送信されてきたか否かを判断する（Ｓ８）。
【０１０１】
そして、ステップＳ８において、撮影命令信号が送信されてきたと判断すると、撮影制御部１１は、撮影部１２およびマイクロフォン３０を動作させて、画像信号と音声信号とが１つになった動画情報を記憶部２０に格納する（撮影する）（Ｓ９）。一方、ステップＳ８において、撮影命令信号が送信されてきていないと判断すると撮影制御部１１における処理はステップＳ７に戻る。
【０１０２】
なお、上記ステップＳ５にて、最適な焦点距離が決定されない場合、すなわち、ＡＦ制御部１３にて最適な焦点距離が決定できなかった場合には、ＡＦ制御部１３は、表示部５０を動作させて、フォーカスロックができなかった旨を表示する。そして、ＡＦ制御部１３は、合焦処理は終了したとして、フォーカス処理完了信号を撮影制御部１１に送信する。つまり、フォーカスロックができた場合でも、また、できなかった場合でも合焦処理が終了すれば、ＡＦ制御部１３は撮影制御部１１にフォーカス処理完了信号を送信する。その後、撮影制御部１１における処理はＳ７に進む。
【０１０３】
また、上記ステップＳ６において、ＡＦ制御部１３からのフォーカス処理完了信号が送信されてきていないと判断すると、処理はＳ３に戻る。
【０１０４】
また、上記ステップＳ２にて、フォーカスボタン検出部１５または信号切替部１７からフォーカス命令信号が送信されてきていない場合、撮影制御部１１は、当該撮影制御部１１に、撮影ボタン検出部１４または信号切替部１７から撮影命令信号が送信されてきたか否かを判断する（Ｓ１２）。ステップＳ１２において、撮影命令信号が送信されてきていない場合には処理はＳ２に戻る。
【０１０５】
ステップＳ１２において、撮影命令信号が送信されてきたと判断した場合には、撮影制御部１１は、ＡＦ制御部１３に第２のフォーカス命令信号を送信する。そして、ＡＦ制御部１３は、撮影制御部１１から送信されてきたフォーカス命令信号に基づいて合焦処理を行う（Ｓ１３）。つまり、ＡＦ制御部１３からのフォーカス処理完了信号が送信されてきていない状態において、撮影制御部１１が撮影命令信号を受信すると、当該撮影制御部１１は、ＡＦ制御部１３に対して第２のフォーカス命令信号を送信する。
【０１０６】
そして、撮影制御部１１は、合焦処理が完了したか否かを判断する。換言すると、撮影制御部１１は、ＡＦ制御部１３からフォーカス処理完了信号が送されてきたか否かを判断する（Ｓ１４）。
【０１０７】
そして、ＡＦ制御部１３からフォーカス処理完了信号が送信されてきたと判断した場合には、ステップＳ９に進み、送信されてきていないと判断した場合には、処理はＳ１３に戻る。
【０１０８】
このように、本実施の形態では、フォーカス処理完了信号を受信した後で、動画の撮影を行うようになっている。
【０１０９】
また、上記ステップＳ３において、ユーザによってフォーカスボタン６３が押圧または２段ボタン６２が半押しされると、ＡＦ制御部１３は、合焦処理を行うようになっている。しかしながら、例えば、ＡＦ制御部１３が合焦処理を行う前に予め撮像素子８１から出力されてくる画像信号の露出レベルを検出しておき、該露出レベルが所定の基準値以下であると判断すると、当該ＡＦ制御部１３による合焦処理を行わせないように制御してもよい。この場合には、ＡＦ制御部１３は、合焦処理を行うことなく、フォーカス処理完了信号を撮影制御部１１に送信するようになっている。
【０１１０】
次に、ユーザ自身がフォーカスを調整する際の制御部１０の処理について図９を参照して説明する。なお、図９は、フォーカスの自動調整を行う場合と、ユーザ自身によってフォーカスを調整する場合とにおける制御部１０の処理を示すフローチャートである。なお、以下の説明では、上記の説明と同じ工程には、同じ工程番号（ステップ番号）を付し、詳細な説明を省略する。
【０１１１】
まず、撮影ボタン検出部１４、２段ボタン検出部１６、フォーカスボタン検出部１５は、動画を撮影する撮影モードであるか否かを判断する（Ｓ１）。
【０１１２】
そして、ステップＳ１において、動画を撮影する撮影モードであると判断した場合には、制御部１０は、フォーカスの自動調整を行うか否かを判断する（Ｓ２０）。具体的には、ユーザによってフォーカス調整ボタン６４、または、フォーカスボタン６３または２段ボタン６２、撮影ボタン６１が押圧されたか否かによって、フォーカスの自動調整を行うか否かを判断する。そして、ユーザによってフォーカスボタン６３または２段ボタン６２、撮影ボタン６１が押圧されることにより、制御部１０は、フォーカスの自動調整を行うことを判断することができる。また、ユーザによってフォーカス調整ボタン６４が押圧されることにより、ユーザ自身がフォーカスの調整を行うことを判断することができる。
【０１１３】
次に、Ｓ２０において、ユーザによってフォーカスボタン６３または２段ボタン６２、撮影ボタン６１が押圧されると、ＡＦ制御部１３は、フォーカスの自動制御を行う（Ｓ２１）。具体的には、ステップＳ２〜Ｓ８、ステップＳ１２〜Ｓ１４の処理を行うことにより、ＡＦ制御部１３は、フォーカスの自動調整（合焦処理）を行う。
【０１１４】
一方、Ｓ２０において、ユーザによってフォーカス調整ボタン６４が押圧されたことを検出した場合には、フォーカス調整部１８は、カメラ部８０のレンズ駆動部８２を動作させて、当該カメラ部の焦点距離を変化させる（Ｓ２３）。
【０１１５】
その後、フォーカス調整部１８は、上記レンズ駆動部８２を動作させた後、撮影制御部１１に第２のフォーカス処理完了信号を送信する（Ｓ２４）。
【０１１６】
その後、撮影制御部１１は、撮影ボタン検出部１４または信号切替部１７から撮影命令信号が送信されてきたか否かを判断する（Ｓ２５）。そして、ステップＳ２５にて、撮影命令信号が送信されてきたと判断した場合、処理はステップＳ９に進む。
【０１１７】
このようにして、ユーザ自身でフォーカスを調整するマニュアルフォーカスとＡＦ制御部１３がフォーカスを自動調整するオートフォーカス（合焦処理）とを行うことができる。
【０１１８】
また、本実施の形態にかかる携帯電話機１には、２段ボタン６２が備えられており、この２段ボタンを押圧することにより、合焦処理と動画撮影との両方を行うことができる。具体的には、ユーザによって２段ボタン６２が半押しされることにより合焦処理を行い、２段ボタン６２が全押しされることにより動画撮影の開始および終了を行うことができる。しかしながら、例えば、上記２段ボタン６２を全押しすることにより動画撮影を中止する場合、誤って、２段ボタン６２の半押しした場合には、合焦処理が行われることになる。この場合には、動画情報の最後の部分にピントがボケた状態の映像が残ることになる。また、動画の撮影中にフォーカスボタンを誤った押圧した場合でも上記と同様のことが起こる。本実施の形態にかかる携帯電話機１では、このような２段ボタン６２またはフォーカスボタン６３の誤操作によって、不要な映像を記録しないために、動画の撮影中では、２段ボタン６２の半押しまたはフォーカスボタン６３の押圧が所定の時間以上押圧されないと、当該押圧を検出しないようになっている。これについて、図１０のフローチャートを参照して説明する。
【０１１９】
図１０は、動画の撮影中における、２段ボタン６２の半押し状態またはフォーカスボタンの押圧状態を検出する処理についてのフローチャートである。
【０１２０】
動画を撮影中（Ｓ３０）、つまり、撮影制御部１１が画像信号と音声信号とを併せた動画情報を記憶部２０に格納している状態で、ＡＦ制御部１３は、フォーカス命令信号が送信されてきたか否かを判断する（Ｓ３１）。なお、上記動画の撮影中であるか否かは、ＡＦ制御部１３が、撮影制御部１１に現在の状態を問合せることにより判断することができる。また、例えば、撮影制御部１１が、動画の撮影を開始した時点で、ＡＦ制御部１３に対して、動画撮影を開始した旨の撮影開始信号を送信するようにしてもＡＦ制御部１３は、動画の撮影中であるか否かを判断することができる。
【０１２１】
次に、ステップＳ３１にて、フォーカス命令信号が送信されてきたと判断した場合、ＡＦ制御部１３は、タイマを動作させて、フォーカス命令信号を受信した時間を測定する（Ｓ３２）。
【０１２２】
そして、ＡＦ制御部１３は、受信したフォーカス命令信号の連続した受信時間が所定の時間以内であったか否かを判断する（Ｓ３３）。ステップＳ３３にて、連続して受信したフォーカス命令信号の受信時間が、所定の時間以内であったと判断すると、処理は終了する。一方、ステップＳ３３にて、連続して受信したフォーカス命令信号の受信時間が、所定の時間以内でないと判断すると、ＡＦ制御部は、新たに合焦処理を行う（Ｓ３４）。
【０１２３】
このように、本実施の形態では、動画の撮影中にフォーカス命令信号が送信されてきた場合、当該フォーカス命令信号を連続して受信した受信時間が、所定の時間以上であった場合に、合焦処理を行うようになっている。これにより、ユーザの誤操作による合焦処理を防止することができる。なお、このように、フォーカス命令信号を連続して受信した受信時間が、所定の時間以上であった場合に合焦処理を行う処理は、撮影制御部１１からＡＦ制御部１３に対して送信される、動画の撮影が終了した旨の撮影停止信号を受信するまで行われる。換言すると、動画情報を記憶部２０に格納している間、ＡＦ制御部１３は、。上記処理を行うようになっている。
【０１２４】
以上のように、本実施の形態にかかる携帯電話機１は、動画情報を出力するカメラ部８０と、上記動画情報に基づいて当該カメラ部８０のフォーカスを自動調整するＡＦ制御部１３と、カメラ部８０から出力される動画情報を記憶部２０に格納する撮影制御部１１と、ユーザによって操作される撮影ボタン６１と、ユーザによって操作されるフォーカスボタン６３と、上記フォーカスボタン６３が操作されたことを検出して、上記ＡＦ制御部１３にフォーカス命令信号を送信するフォーカスボタン検出部１５と、上記撮影ボタン６１が操作されたことを検出して、上記撮影制御部１１に撮影命令信号を送信する撮影ボタン検出部１４とを備え、上記ＡＦ制御部１３は、上記フォーカス命令信号を受信すると、カメラ部８０のフォーカスを自動調整し、当該自動調整が完了後にフォーカス処理完了信号を撮影制御部１１に送信するものであり、上記撮影制御部１１は、上記撮影命令信号を受信すると、上記フォーカス処理完了信号を受信したか否かを判断し、当該フォーカス処理完了信号を受信した場合に、上記動画情報を記憶部２０に格納するものであることを特徴としている。
【０１２５】
上記の構成によれば、動画撮影を開始する前に、フォーカスの自動調整を行い、当該フォーカスの自動調整が完了した後で、動画撮影（動画情報を記憶部２０に格納すること）を行うようになっている。これにより、例えば、カメラ部８０が小型化され、フォーカスの自動調整を行う必要があるカメラ付きの携帯電話機１であっても、確実にピントが合った状態で動画の撮影を行うことができる。また、ほとんど、焦点距離が変わらないものの動画を撮影する際には、始めにフォーカスの自動調整を行っただけで好適に撮影することができる。従って、上記の動画の撮影を開始する前にフォーカスを調整するだけで動画の撮影を行うことにより、例えば、動画の撮影中、常にフォーカスを行うようなデジタルビデオ等と比べて動画撮影時の消費電力を抑制することができる。
【０１２６】
また、本発明にかかる携帯電話機１は、上記撮影制御部１１は、上記フォーカス処理完了信号を受信していない状態で、上記撮影命令信号を受信したとき、カメラ部８０のフォーカスを自動調整するように指示する第２のフォーカス命令信号をＡＦ制御部１３に対して送信し、その後、上記フォーカス処理完了信号を受信すると、上記動画情報を記憶部２０に格納する構成であることがより好ましい。
【０１２７】
上記の構成によれば、確実にフォーカスの自動調整が完了した後で動画の撮影を行うようになっているので、ピントの合っていない状態での動画撮影を防止することができる。
【０１２８】
また、本発明にかかる携帯電話機１は、ユーザによって操作されるフォーカス調整ボタン６４と、当該フォーカス調整ボタン６４が操作されたことを検出するとともに、当該フォーカス調整ボタン６４の操作状態に応じて、カメラ部８０のフォーカスを変更するフォーカス調整部１８とを備えており、上記フォーカス調整部１８は、カメラ部８０のフォーカスを変更するとき、上記撮影制御部１１に第２のフォーカス処理完了信号を送信するものであり、上記撮影制御部１１は、上記第２のフォーカス処理完了信号を受信すると、上記動画情報を記憶部２０に格納する構成がより好ましい。
【０１２９】
上記の構成によれば、ユーザ自身が手動でフォーカスを調整する（マニュアルフォーカスを行う）ことができるようになっている。そして、ユーザ自身が手動でフォーカスを調整する場合には、フォーカス調整部１８は、撮影制御部１１に対してフォーカス処理完了信号を送信するようになっている。つまり、ユーザ自身が調整した場合であっても、撮影制御部１１にフォーカス完了信号を送信するようになっているので、ユーザが所望のフォーカス状態で動画撮影を行うことができる。
【０１３０】
また、本発明にかかる携帯電話機１は、ユーザによって操作される２段階の押下操作が可能な２段ボタン６２と、上記２段ボタン６２の押下状態を検出して、当該押下状態が一方であるときにはフォーカス命令信号を送信し、他方であるときには撮影命令信号を送信する２段ボタン検出部１６と、上記フォーカス命令信号を受信すると当該フォーカス命令信号を上記ＡＦ制御部１３に送信し、上記撮影命令信号を受信すると当該撮影命令信号を撮影制御部１１に送信する信号切替部１７とを備えている構成がより好ましい。
【０１３１】
上記の構成によれば、２段階の押下操作が可能な２段ボタン６２が設けられており、この２段ボタン６２の操作に基づいて、フォーカス命令信号または撮影命令信号をＡＦ制御部１３または撮影制御部１１に振り分けるようになっている。これにより、ユーザは、この２段ボタン６２のみでフォーカスの自動調整と動画撮影との両方を行うことができる。従って、携帯電話機１の操作性を、より一層向上させることができる。
【０１３２】
また、本発明にかかる携帯電話機１は、上記撮影制御部１１は、記憶部２０に動画情報の格納を開始すると、ＡＦ制御部１３に撮影開始信号を送信するものであり、上記ＡＦ制御部１３は、撮影開始信号を受信してから、上記撮影制御部１１から送信されてくる記憶部２０に動画情報の格納を終了した旨の撮影停止信号を受信するまでの間に、上記フォーカス命令信号を連続して所定時間以上受信した場合、カメラ部８０のフォーカスの自動調整を行うものである構成がより好ましい。
【０１３３】
上記の構成によれば、動画の撮影中にユーザの誤操作によってフォーカス命令が出された場合であっても、フォーカスの自動調整を行わないようになっている。これにより、動画の撮影中にユーザが所望しないフォーカスの自動調整を防止することができる。
【０１３４】
また、本発明にかかる携帯電話機１は、上記ＡＦ制御部１３は、上記動画情報に基づいて、露出レベルを検出するものであるとともに、上記検出した露出レベルが、所定の基準値より大きい場合には、カメラ部８０のフォーカスの自動調整を行い、自動調整が完了した時点でフォーカス処理完了信号を送信する一方、上記検出した露出レベルが、所定の基準値以下である場合には、カメラ部８０のフォーカスの自動調整を行わずに、上記フォーカス処理完了信号を送信するものである構成がより好ましい。
【０１３５】
上記の構成によれば、ＡＦ制御部１３は、当該ＡＦ制御部１３によって検出された露出レベルが所定の基準値以下である場合には、フォーカスの自動調整を行わないようになっている。つまり、例えば、暗闇等を撮影する場合には、フォーカスの自動調整を行った場合でも、適切な焦点距離に設定することができない場合が多い。従って、フォーカスの自動調整を行う前に予め露出レベルを検出しておき、露出レベルが一定の値以下である場合には、フォーカスの自動調整を行わないことにより、無駄な処理を行わないようにすることができる。これにより、電力消費の抑制と動画撮影を行うまでの時間を短縮することができる。
【０１３６】
本実施の形態にかかる携帯電話機１の制御プログラムは、上記携帯電話機１を動作させる携帯電話機１の制御プログラムであって、コンピュータを上記の各部材として機能させる構成である。上記の構成により、コンピュータで上記携帯電話機１の各部材を実現することによって、上記携帯電話機１を実現することができる。
【０１３７】
また、本発明の携帯電話機１の制御プログラムを記録したコンピュータ読み取り可能な記録媒体は、上記の各部材をコンピュータに実現させて、上記携帯電話機１を動作させる携帯電話機１の制御プログラムを記録したコンピュータ読み取り可能な記録媒体である。上記の構成により、上記記録媒体から読み出された携帯電話機１の制御プログラムによって、上記携帯電話機１をコンピュータ上に実現することができる。
【０１３８】
また、本発明の携帯電話機１の制御方法は、動画情報を取得するカメラ部８０を備える携帯型電子機器の制御方法であって、ユーザによってフォーカスの自動調整が指示されると、上記カメラ部８０のフォーカスを当該撮像手段から出力される動画情報に基づいて自動調整するフォーカス制御工程と、ユーザによって動画情報の記憶部２０への格納が指示されると、上記フォーカス制御工程が完了しているか否かを判断し、完了している場合、上記動画情報を記憶部２０に格納する撮影制御工程とを含むものである構成である。
【０１３９】
なお、上記の説明では、撮影機能および合焦機能を割り当てるボタンスイッチを例示して説明している。しかしながら、これらの機能を割り当てるものとしては、ボタンスイッチに限定されることなく、例えば、タッチパネル等に上記機能を割り当ててもよい。
【０１４０】
また、上記の説明では、動画情報を格納する記憶部２０は、携帯電話機１に内臓されている構成について説明したが、例えば、撮影制御部１１は、動画情報を外部の記憶装置に対して送信するようにしてもよい。
【産業上の利用可能性】
【０１４１】
本発明にかかる携帯型電子機器は、カメラ付き携帯電話機やカメラ付き携帯情報端末装置等に好適に適用できる。
【図面の簡単な説明】
【０１４２】
【図１】本実施の形態にかかる携帯電話機の制御部の概略構成を示すブロック図である。
【図２】上記携帯電話機を開いた状態における概略の構成を示す正面図である。
【図３】上記携帯電話機の閉じた状態における蓋体側から見た概略の構成を示す正面図である。
【図４】上記携帯電話機の閉じた状態における本体部側から見た概略の構成を示す正面図である。
【図５】上記携帯電話機を閉じた状態における概略の構成を示す側面図である。
【図６】上記携帯電話機の概略構成を示すブロック図である。
【図７】カメラ部の一構成例を示したブロック図である。
【図８】ユーザによる撮影ボタン、フォーカスボタン、２段ボタンの押下によって動画を撮影する処理の流れを示すフローチャートである。
【図９】フォーカスの自動調整を行う場合と、ユーザ自身によってフォーカスを調整する場合とにおける制御部の処理を示すフローチャートである。
【図１０】動画の撮影中における、２段ボタンの半押し状態またはフォーカスボタンの押圧状態を検出する処理についてのフローチャートである。
【符号の説明】
【０１４３】
１  携帯電話機
１０  制御部
１１  撮影制御部（撮影制御手段）
１２  撮影部
１３  ＡＦ制御部（フォーカス制御手段）
１４  撮影ボタン検出部（撮影操作検出手段）
１５  フォーカスボタン検出部（フォーカス操作検出手段）
１６  ２段ボタン検出部（２段階操作検出手段）
１７  信号切替部（分配手段）
１８  フォーカス調整部（フォーカス調整手段）
６１  撮影ボタン（撮影命令操作入力手段）
６２  ２段ボタン（２段階操作入力手段）
６３  フォーカスボタン（フォーカス命令操作入力手段）
８０  カメラ部（撮像手段）
【図１】
2005123767.tif 000003
【図２】
2005123767.tif 000004
【図３】
2005123767.tif 000005
【図４】
2005123767.tif 000006
【図５】
2005123767.tif 000007
【図６】
2005123767.tif 000008
【図７】
2005123767.tif 000009
【図８】
2005123767.tif 000010
【図９】
2005123767.tif 000011
【図１０】
2005123767.tif 000012